(57)【要約】【課題】撮影装置におけるＩＤカードの再発行処理と、更新処理又は新規登録処理を容易に識別可能にする。【解決手段】ＩＤカード作成システム１００の撮影装置２は、ＩＤカードの作成を申請する各申請人の顔画像のデータを、申請人の識別情報に対応付けてカード作成管理ファイルに記憶し、申請人のＩＤ番号（識別情報）が入力されると、その入力されたＩＤ番号に対応する顔画像データがカード作成管理ファイルに記憶されているか否かを判定する。該当する顔画像データがカード作成管理ファイルに記憶されている場合、当該顔画像データ（静止画）を表示部に表示し、当該顔画像データがカード作成管理ファイルに記憶されていない場合は、申請人の動画を表示部に表示し、当該申請人を撮影する。【選択図】図１
2006107178.tif 000002
【特許請求の範囲】
【請求項１】
ＩＤカードの作成を申請する申請人の顔画像を撮影する撮影装置と、ＩＤカードを作成するＩＤカード作成装置とを備えるＩＤカード作成システムにおいて、
前記撮影装置は、
各申請人の顔画像のデータを、申請人の識別情報に対応付けて記憶する記憶手段と、
申請人の識別情報を入力する入力手段と、
前記入力手段により入力された識別情報に対応する顔画像データが前記記憶手段に記憶されているか否かを判定する判定手段と、
前記判定手段による判定結果に応じて、表示手段の表示方式を切り替える表示制御手段と、
を備えることを特徴とするＩＤカード作成システム。
【請求項２】
前記表示制御手段は、前記判定手段により、前記入力された識別情報に対応する顔画像データが前記記憶手段に記憶されていると判定された場合、当該顔画像データの静止画を前記表示手段に表示することを特徴とする請求項１に記載のＩＤカード作成システム。
【請求項３】
前記表示制御手段は、前記判定手段により、前記入力された申請人の識別情報に対応する顔画像データが前記記憶手段に記憶されていないと判定された場合、当該申請人の動画を前記表示手段に表示することを特徴とする請求項１に記載のＩＤカード作成システム。
【請求項４】
ＩＤカードの作成を申請する各申請人の顔画像のデータを、申請人の識別情報に対応付けて撮影装置の記憶手段に記憶し、
申請人の識別情報を入力する入力工程と、
前記入力された識別情報に対応する顔画像データが前記記憶手段に記憶されているか否かを判定する判定工程と、
前記判定工程における判定結果に応じて、前記撮影装置の表示手段の表示方式を切り替える表示制御工程と、
を含むことを特徴とするＩＤカード作成方法。
【請求項５】
前記表示制御工程では、前記判定工程において、前記入力された識別情報に対応する顔画像データが前記記憶手段に記憶されていると判定された場合、当該顔画像データの静止画が前記表示手段に表示されることを特徴とする請求項４に記載のＩＤカード作成方法。
【請求項６】
前記表示制御工程では、前記判定工程において、前記入力された申請人の識別情報に対応する顔画像データが前記記憶手段に記憶されていないと判定された場合、当該申請人の動画が前記表示手段に表示されることを特徴とする請求項４に記載のＩＤカード作成方法。
【発明の詳細な説明】
【技術分野】
【０００１】
本発明は、社員証や各種免許証等のＩＤカードを作成するＩＤカード作成システム及びＩＤカード作成方法に関する。
【背景技術】
【０００２】
近年、社員証、自動車免許証等の免許証類、身分証明書、パスポート、外国人登録証、図書館利用カード、キャッシュカード、クレジットカード、従業者証、会員証、医療カード及び学生証等のＩＤカードが普及している。これらのＩＤカードの表面には、ＩＤ番号（識別情報）、本人（申請人）の顔画像の他、氏名、住所等の個人情報が印字されるようになっている。このようなＩＤカードを作成するシステムとして、本人の顔画像を撮影装置で撮影することで得られた顔画像データと、ＩＤ番号及び個人情報とに基づいて、ＩＤカードを作成するシステムが知られている。
【０００３】
また、最近では、申請人の顔画像や個人情報等のデータを、撮影装置やファイルサーバ等に記憶しておき、その記憶されたデータをＩＤカード作成装置（プリンタ）に送信することにより、ＩＤカードの再発行や更新等の手続きを行うＩＤカード作成システムも開発されている（例えば、特許文献１参照。）。
【特許文献１】特開平７−８９２７２号公報
【発明の開示】
【発明が解決しようとする課題】
【０００４】
しかしながら、撮影装置を用いてＩＤカードの再発行処理又は更新処理を行う従来のＩＤカード作成システムでは、撮影装置の表示手段に、申請者のＩＤ番号や顔画像等を表示する機能がなかったため、撮影装置のオペレータは、ＩＤカードの再発行処理を行っているのか、更新処理又は新規登録処理を行っているのかを即座に判断できないという問題があった。
【０００５】
本発明の課題は、撮影装置におけるＩＤカードの再発行処理と、更新処理又は新規登録処理を容易に識別可能にすることである。
【課題を解決するための手段】
【０００６】
上記課題を解決するため、請求項１に記載の発明は、ＩＤカードの作成を申請する申請人の顔画像を撮影する撮影装置と、ＩＤカードを作成するＩＤカード作成装置とを備えるＩＤカード作成システムにおいて、前記撮影装置は、各申請人の顔画像のデータを、申請人の識別情報に対応付けて記憶する記憶手段と、申請人の識別情報を入力する入力手段と、前記入力手段により入力された識別情報に対応する顔画像データが前記記憶手段に記憶されているか否かを判定する判定手段と、前記判定手段による判定結果に応じて、表示手段の表示方式を切り替える表示制御手段と、を備えることを特徴としている。
【０００７】
請求項２に記載の発明は、請求項１に記載のＩＤカード作成システムにおいて、前記表示制御手段は、前記判定手段により、前記入力された識別情報に対応する顔画像データが前記記憶手段に記憶されていると判定された場合、当該顔画像データの静止画を前記表示手段に表示することを特徴としている。
【０００８】
請求項３に記載の発明は、請求項１に記載のＩＤカード作成システムにおいて、前記表示制御手段は、前記判定手段により、前記入力された申請人の識別情報に対応する顔画像データが前記記憶手段に記憶されていないと判定された場合、当該申請人の動画を前記表示手段に表示することを特徴としている。
【０００９】
請求項４に記載の発明は、ＩＤカードの作成を申請する各申請人の顔画像のデータを、申請人の識別情報に対応付けて撮影装置の記憶手段に記憶し、申請人の識別情報を入力する入力工程と、前記入力された識別情報に対応する顔画像データが前記記憶手段に記憶されているか否かを判定する判定工程と、前記判定工程における判定結果に応じて、前記撮影装置の表示手段の表示方式を切り替える表示制御工程と、を含むことを特徴としている。
【００１０】
請求項５に記載の発明は、請求項４に記載のＩＤカード作成方法において、前記表示制御工程では、前記判定工程において、前記入力された識別情報に対応する顔画像データが前記記憶手段に記憶されていると判定された場合、当該顔画像データの静止画が前記表示手段に表示されることを特徴としている。
【００１１】
請求項６に記載の発明は、請求項４に記載のＩＤカード作成方法において、前記表示制御工程では、前記判定工程において、前記入力された申請人の識別情報に対応する顔画像データが前記記憶手段に記憶されていないと判定された場合、当該申請人の動画が前記表示手段に表示されることを特徴としている。
【発明の効果】
【００１２】
本発明によれば、ＩＤカードに使用する顔画像を撮影する撮影装置に、申請人の顔画像のデータが記憶されているか否かに応じて、表示手段の表示方式を切り替えることにより、オペレータは、撮影装置で現在行われている処理が、ＩＤカードの再発行処理であるのか、更新処理又は新規登録処理であるのかを容易に識別することが可能となる。
【発明を実施するための最良の形態】
【００１３】
以下、図面を参照して、本発明の実施形態について詳細に説明する。
以下の各実施形態のＩＤカード作成システムにおいては、主に、会社等の団体に所属する社員のＩＤカード（在職（社員）証明カード等）を作成する場合を想定してＩＤカード作成システムを説明するが、それに限らず、所定資格を管理・統括する団体が有するものであってもよい。
【００１４】
［実施形態１］
図１〜図５を参照して、本発明の実施形態１を説明する。
まず、実施形態１における構成について説明する。図１に、実施形態１に係るＩＤカード作成システム１００の構成を示す。ＩＤカード作成システム１００は、図１に示すように、ホストコンピュータ１、撮影装置２、ＩＤカード作成装置３、ファイルサーバ４により構成され、ＩＤカード作成システム１００を構成する各装置は通信ネットワークＮにより接続される。なお、１台のホストコンピュータ１に通信ネットワークＮを介して接続される撮影装置２、ＩＤカード作成装置３、ファイルサーバ４の台数は特に限定されない。
【００１５】
ここで、通信ネットワークＮは、例えば、公衆回線、電話回線、ＩＳＤＮ回線、無線通信回線、専用線、ＣＡＴＶ回線等のネットワークである。この通信ネットワークＮは、任意な時に接続が可能であればよく、常時接続されている必要はない。また、通信ネットワークＮは、情報管理の信頼性の観点から、特定のユーザのみアクセス可能なセキュリティを確保していることが望ましい。或いは、ＩＤカード作成システム１００は、通過する情報を制限するファイアウォール機能を有するプロキシサーバ等を備える構成であってもよい。
【００１６】
ホストコンピュータ１は、例えば、ＰＣ（Personal Computer）等により構成され、ＤＢ（データベース）１ａを備えている。ＤＢ１ａは、各社員のＩＤ番号（識別情報）、個人情報（氏名、住所、所属、生年月日等）を対応付けて格納している。このＤＢ１ａには、常に最新の個人情報がＩＤ番号に対応付けて格納されている。ホストコンピュータ１は、ＤＢ１ａに格納される情報の更新や読み出しを制御する。
【００１７】
図２に、撮影装置２の主要部構成を示す。撮影装置２は、図２に示すように、ＣＰＵ（Central Processing Unit）２１、ＲＡＭ（Random Access Memory）２２、記憶部２３、通信部２５、入力部２６、表示部２７、カメラ２８、光源２９等により構成される。
【００１８】
ＣＰＵ２１は、記憶部２３に記憶された各種プログラムに従って、撮影装置２を構成する各部の動作を制御する。例えば、ＣＰＵ２１は、入力部２６から、ＩＤカードの作成を申請する申請人のＩＤ番号が入力されると、当該ＩＤ番号に対応付けられた顔画像のデータが記憶部２３に登録されているか否かを判定し、判定結果に応じて表示部２７での表示方式を切り替えるように制御する（図４参照）。また、ＣＰＵ２１は、入力されたＩＤ番号に対応する最新の個人情報をホストコンピュータ１から取得するための制御を行う。
【００１９】
ＲＡＭ２２は、ＣＰＵ２１によって実行される各種プログラムをプログラム格納エリアに展開する。また、ＲＡＭ２２は、各種プログラムの実行時に生じる処理結果等のデータをワークエリアに一時的に記憶する。例えば、ＲＡＭ２２は、カメラ２８により撮影され生成された顔画像データを一時的に記憶する。
【００２０】
記憶部２３は、プログラムやデータ等が予め記憶されている記録媒体（図示省略）を有しており、この記録媒体は、磁気的、光学的記録媒体若しくは半導体メモリで構成されている。この記録媒体は、記憶部２３に固定的に設けられるもの若しくは着脱自在に装着するものであり、システムプログラム、当該システムに対応する各種処理プログラム及び各種処理プログラムで処理されたデータを記憶する。これらのプログラムは、コンピュータが読取可能なプログラムコードの形態で格納され、当該プログラムコードに従った動作がＣＰＵ２１の制御下にて逐次実行される。なお、記憶部２３が記憶するプログラム又はデータは、その一部又は全部を他の機器から通信ネットワークＮを介して受信して記憶するような構成にしてもよい。
【００２１】
この記憶部２３は、ＩＤカードの作成に関するデータとして、ＩＤカードの作成を申請する各申請人のＩＤ番号と、顔画像、個人情報の各データを対応付けて記憶したカード管理ファイル２４を格納している。このカード管理ファイル２４には、ＩＤ番号毎に、顔画像及び個人情報のデータがＩＤ番号に対応付けてＩＤカード作成装置３及び／又はファイルサーバ４に送信済みであるか否かを示す送信完了フラグ（ＯＮ：送信済み、ＯＦＦ：未送信）が設定されている。カード管理ファイル２４に登録されたデータは、登録後、所定期間（例えば、１週間）保管され、所定期間を過ぎたデータは自動的に消去される。
【００２２】
通信部２５は、撮影装置２を通信ネットワークＮに接続するためのインターフェースであり、通信ネットワークＮを介して外部機器と通信を行うための制御を行う。
【００２３】
入力部２６は、撮影ボタン、承認ボタン、カーソルキー、数字入力キー及び各種機能キーを備え、ボタン又はキーの押下操作に対応する操作信号をＣＰＵ２１に出力する。ここで、承認ボタンとは、撮影された申請人の顔画像が、ＩＤカードに使用される顔画像として適切だと判断された場合に操作されるボタンである。
【００２４】
表示部２７は、ＬＣＤ（Liquid Crystal Display）等の表示画面を備え、ＣＰＵ２１から入力される表示制御信号に従って、顔画像等の各種データを表示する。
【００２５】
カメラ２８は、ガラス又はプラスチックからなる光学レンズ及びＣＣＤ（Charge Coupled Device）やＣＭＯＳ（Complementary Metal Oxide Semiconductor）等の光学センサからなり、光学レンズを介して入力される画像を光学センサで電気信号に変換して画像データを生成する。
【００２６】
光源２９は、蛍光灯、ハロゲンランプ、メタルハライドランプ等により構成され、撮影の際に、椅子に着座した被撮影者（申請人）に対して光を照射する。
【００２７】
図１において、ＩＤカード作成装置３は、撮影装置２又はファイルサーバ４から、ＩＤカードの作成に必要な印刷データ（ＩＤ番号、顔画像、個人情報のデータ）を受信して、ＩＤカードの表面に印刷データの印字を行ってＩＤカードを作成する。このＩＤカード作成装置３は、各種機能キーを有する入力部、操作パネル、記憶部（何れも図示略）等を備えている。
【００２８】
図３に、ファイルサーバ４の主要部構成を示す。ファイルサーバ４は、図３に示すように、ＣＰＵ４０、ＲＡＭ４１、記憶部４２、通信部４３等により構成される。
【００２９】
ＣＰＵ４０は、記憶部４２に記憶された各種プログラムに従って、ファイルサーバ４を構成する各部の動作を制御する。
【００３０】
ＲＡＭ４１は、ＣＰＵ４０によって実行される各種プログラムをプログラム格納エリアに展開する。また、ＲＡＭ４１は、各種プログラムの実行時に生じる処理結果等のデータをワークエリアに一時的に記憶する。
【００３１】
記憶部４２は、プログラムやデータ等が予め記憶されている記録媒体（図示省略）を有しており、この記録媒体は、磁気的、光学的記録媒体若しくは半導体メモリで構成されている。この記録媒体は、記憶部４２に固定的に設けられるもの若しくは着脱自在に装着するものであり、システムプログラム、当該システムに対応する各種処理プログラム及び各種処理プログラムで処理されたデータ等を記憶する。これらのプログラムは、コンピュータが読取可能なプログラムコードの形態で格納され、当該プログラムコードに従った動作がＣＰＵ４０の制御下にて逐次実行される。なお、記憶部４２が記憶するプログラム又はデータは、その一部又は全部を他の機器から通信ネットワークＮを介して受信して記憶するような構成にしてもよい。
【００３２】
このファイルサーバ４は、ＤＢ（データベース）４ａを備えている。このＤＢ４ａには、ＩＤカードの作成を申請する各申請人のＩＤ番号と、顔画像、個人情報の各データを対応付けて記憶したカード作成管理ファイル４２１が格納されている。ファイルサーバ４は、ホストコンピュータ１のＤＢ１ａがダウンした場合の予備のデータベースとしての機能を有している。
【００３３】
次に、実施形態１における動作について説明する。
まず、図４（ａ）のフローチャートを参照して、実施形態１の撮影装置２において実行される処理について説明する。
【００３４】
まず、入力部２６の操作により、ＩＤカードの申請人のＩＤ番号が入力されると（ステップＳ１）、その入力されたＩＤ番号に対応する顔画像のデータがカード作成管理ファイル２４に登録されているか否かが判定される（ステップＳ２）。
【００３５】
ステップＳ２において、ステップＳ１で入力されたＩＤ番号に対応する顔画像データがカード作成管理ファイル２４に登録されていないと判定された場合（ステップＳ２；ＮＯ）、即ち、該当する顔画像データが、カード作成管理ファイル２４に元々登録されていないか、当該顔画像データの保管期間が過ぎて消去された場合、表示部２７に、椅子に着座した被撮影者（申請人）の動画が表示される（ステップＳ３）。表示部２７に、申請人の動画が表示されることにより、撮影装置２のオペレータは、現在行われている処理が、ＩＤカードの更新処理又は新規登録処理であることを把握することができる。
【００３６】
申請人の動画が表示された後、入力部２６の撮影ボタンの操作により撮影指示があると、カメラ２８により申請人が撮影され（ステップＳ４）、この撮影で取得された申請人の顔画像（静止画）と、ステップＳ１で入力されたＩＤ番号が表示部２７に表示される（ステップＳ５）。
【００３７】
ステップＳ２において、ステップＳ１で入力されたＩＤ番号に対応する顔画像データがカード作成管理ファイル２４に登録されていると判定された場合（ステップＳ２；ＹＥＳ）、当該ＩＤ番号と、当該ＩＤ番号に対応する顔画像（静止画）が表示部２７に表示される（ステップＳ５）。表示部２７に、カード作成管理ファイル２４に登録済みの静止画の顔画像が表示されることにより、撮影装置２のオペレータは、現在行われている処理が、ＩＤカードの再発行処理であることを把握することができる。
【００３８】
表示部２７に、申請人の顔画像が表示されると、撮影装置２のオペレータにより、表示された顔画像がＩＤカードに使用する顔画像として適切であるか否かが目視で判定される。オペレータにより、ステップＳ５において表示された顔画像が、ＩＤカードで使用する顔画像として不適切であると判断された場合（ステップＳ６；Ｎｏ）、ステップＳ４及びＳ５の処理が行われ、ステップＳ６では、ステップＳ５において表示された顔画像の可否が再度判定されることになる。
【００３９】
オペレータにより、ステップＳ５において表示された顔画像が、ＩＤカードで使用する顔画像として適切であると判断された場合、入力部２６の承認ボタンが押下される（ステップＳ６；ＹＥＳ）。承認ボタンが押下されると、該当する顔画像に対応するＩＤ番号のデータがホストコンピュータ１に送信され、当該ＩＤ番号に対応する最新の個人情報がホストコンピュータ１から取得される（ステップＳ７）。
【００４０】
ホストコンピュータ１から個人情報が取得されると、当該個人情報がＩＤ番号に対応付けられてカード作成管理ファイル２４に登録される（ステップＳ８）。なお、ステップＳ６において、承認ボタンが押下された後、ステップＳ７及びＳ８の処理に移行するとともに、ステップＳ１に戻り、次のＩＤ番号の入力待ち状態となる。
【００４１】
次に、図４（ｂ）のフローチャートを参照して、図４（ａ）のフローチャートに示した処理と並行して撮影装置２において行われる処理について説明する。
【００４２】
撮影装置２では、常時、送信完了フラグがＯＦＦのＩＤ番号に対応付けられた顔画像及び個人情報のデータがカード作成管理ファイル２４に登録されているかが判定されている（ステップＳ９）。ステップＳ９において、カード作成管理ファイル２４に、該当するＩＤ番号に対応付けられた顔画像及び個人情報のデータが登録されていると判定された場合（ステップＳ９；ＹＥＳ）、当該個人情報及び顔画像のデータがＩＤ番号のデータに対応付けられてＩＤカード作成装置３及び／又はファイルサーバ４に送信される（ステップＳ１０）。ステップＳ１０での送信処理後、カード作成管理ファイル２４において、当該送信されたデータに対応する送信完了フラグがＯＮに設定され（ステップＳ１１）、再度、ステップＳ９〜Ｓ１１の処理が繰り返される。
【００４３】
ＩＤ番号と、それに対応付けられた個人情報及び顔画像のデータを受信したＩＤカード作成装置３及び／又はファイルサーバ４では、当該受信されたデータが記憶部に登録され、当該データの登録を通知するデータが撮影装置２に返信される。
【００４４】
次に、図５のフローチャートを参照して、撮影装置２からＩＤカードの作成指示を受け付けるときにＩＤカード作成装置３において実行される処理について説明する。
【００４５】
撮影装置２から、ＩＤ番号と、それに対応付けられた個人情報及び顔画像のデータが受信され、ＩＤカードの作成指示が受け付けられると（ステップＰ１）、その作成指示で指定されたＩＤ番号に対応付けられた顔画像及び個人情報を用いてＩＤカードが作成される（ステップＰ２）。ＩＤカードが作成されると、ＩＤカードの作成が完了したことを示すＩＤカード作成完了情報がＩＤ番号に対応付けられて撮影装置２に送信される（ステップＰ３）。
【００４６】
以上のように、実施形態１のＩＤカード作成システム１００によれば、撮影装置２に、ＩＤカードの申請人のＩＤ番号が入力された際、当該ＩＤ番号に対応する顔画像が撮影装置２内に登録されている場合は、該当する顔画像の静止画を表示し、該当する顔画像が登録されていない場合は、申請人の動画を表示して、顔画像が登録されているか否かに応じて表示方式を切り替えるようにしたことにより、撮影装置２のオペレータは、現在行われている処理が、ＩＤカードの再発行処理であるのか、更新処理又は新規登録処理であるのかを容易に判断することができる。
【００４７】
［実施形態２］
次に、図６〜図９を参照して、本発明の実施形態２について説明する。なお、実施形態２に係るＩＤカード作成システムは、実施形態１のＩＤカード作成システム１００と同一の構成ゆえ、同一の符号を用い、その図示及び機能説明を省略する。以下、実施形態１のＩＤカードシステム１００と異なる点のみを説明する。
【００４８】
ＩＤカード作成装置３の記憶部には、ＩＤカードの作成を申請した申請人のＩＤ番号、顔画像、個人情報の各データが対応付けて格納されている。ＩＤカード作成装置３の記憶部の容量は、撮影装置２の記憶部２３の容量よりも少ない。ＩＤカード作成装置３は、入力部により申請人のＩＤ番号が入力された場合、その入力されたＩＤ番号に対応する顔画像及び個人情報のデータが記憶部に記憶されているか否かを判定し、当該データが記憶部に記憶されていないと判定した場合（例えば、該当データが、保管期間の期限切れ等により消去された場合）、ファイルサーバ４に対し、該当する顔画像及び個人情報のデータの再発行を要求する（図７参照）。
【００４９】
ファイルサーバ４は、ＩＤカード作成装置３から、ＩＤ番号に対応付けられた顔画像及び個人情報の再発行要求があった場合、該当する顔画像のデータがＤＢ４ａ内のカード作成管理ファイル４２１に登録されているか否かを判定し、登録されていると判定された場合、ホストコンピュータ１から当該ＩＤ番号に対応する最新の個人情報を取得し、取得された個人情報をＤＢ４ａ内のカード作成管理ファイル４２１に登録する。また、ファイルサーバ４は、カード作成管理ファイル４２１に登録された個人情報及び顔画像のデータをＩＤ番号に対応付けてＩＤカード作成装置３に送信する（図８参照）。このカード管理ファイル４２１には、ＩＤ番号毎に、顔画像及び個人情報のデータがＩＤ番号に対応付けてＩＤカード作成装置３に送信済みであるか否かを示す送信完了フラグ（ＯＮ：送信済み、ＯＦＦ：未送信）が設定されている。
【００５０】
以下、実施形態２における動作について説明する。
まず、図６（ａ）のフローチャートを参照して、実施形態２の撮影装置２において実行される処理について説明する。
【００５１】
まず、入力部２６の操作により、ＩＤカードの申請人のＩＤ番号が入力されると（ステップＳ２０）、その入力されたＩＤ番号に対応する顔画像のデータがカード作成管理ファイル２４に登録されているか否かが判定される（ステップＳ２１）。
【００５２】
ステップＳ２１において、ステップＳ２０で入力されたＩＤ番号に対応する顔画像データがカード作成管理ファイル２４に登録されていないと判定された場合（ステップＳ２１；ＮＯ）、即ち、該当する顔画像データが、カード作成管理ファイル２４に元々登録されていないか、当該顔画像データの保管期間が過ぎて消去された場合、表示部２７に、椅子に着座した被撮影者（申請人）の動画が表示される（ステップＳ２２）。表示部２７に、申請人の動画が表示されることにより、撮影装置２のオペレータは、現在行われている処理が、ＩＤカードの更新処理又は新規登録処理であることを把握することができる。
【００５３】
申請人の動画が表示された後、入力部２６の撮影ボタンの操作により撮影指示があると、カメラ２８により申請人が撮影され（ステップＳ２３）、この撮影で取得された申請人の顔画像（静止画）と、ステップＳ２０で入力されたＩＤ番号が表示部２７に表示される（ステップＳ２４）。
【００５４】
ステップＳ２１において、ステップＳ２０で入力されたＩＤ番号に対応する顔画像データがカード作成管理ファイル２４に登録されていると判定された場合（ステップＳ２１；ＹＥＳ）、当該ＩＤ番号と、当該ＩＤ番号に対応する顔画像（静止画）が表示部２７に表示される（ステップＳ２４）。表示部２７に、カード作成管理ファイル２４に登録済みの静止画の顔画像が表示されることにより、撮影装置２のオペレータは、現在行われている処理が、ＩＤカードの再発行処理であることを把握することができる。
【００５５】
表示部２７に、申請人の顔画像が表示されると、撮影装置２のオペレータにより、表示された顔画像がＩＤカードに使用する顔画像として適切であるか否かが目視で判定される。オペレータにより、ステップＳ２４において表示された顔画像が、ＩＤカードで使用する顔画像として不適切であると判断された場合（ステップＳ２５；Ｎｏ）、ステップＳ２３及びＳ２４の処理が行われ、ステップＳ２４において表示された顔画像の可否が再度判定されることになる。
【００５６】
オペレータにより、ステップＳ２４において表示された顔画像が、ＩＤカードで使用する顔画像として適切であると判断された場合、入力部２６の承認ボタンが押下される（ステップＳ２５；ＹＥＳ）。承認ボタンが押下されると、該当する顔画像に対応するＩＤ番号のデータがホストコンピュータ１に送信され、当該ＩＤ番号に対応する最新の個人情報がホストコンピュータ１から取得される（ステップＳ２６）。
【００５７】
ホストコンピュータ１から個人情報が取得されると、当該個人情報がＩＤ番号に対応付けられてカード作成管理ファイル２４に登録される（ステップＳ２７）。なお、ステップＳ２５において、承認ボタンが押下された後、ステップＳ２６及びＳ２７の処理に移行するとともに、ステップＳ２０に戻り、次のＩＤ番号の入力待ち状態となる。
【００５８】
次に、図６（ｂ）のフローチャートを参照して、図６（ａ）のフローチャートに示した処理と並行して撮影装置２において行われる処理について説明する。
【００５９】
撮影装置２では、常時、送信完了フラグがＯＦＦのＩＤ番号に対応付けられた顔画像及び個人情報のデータがカード作成管理ファイル２４に登録されているかが判定されている（ステップＳ２８）。ステップＳ２８において、カード作成管理ファイル２４に、該当するＩＤ番号に対応付けられた顔画像及び個人情報のデータが登録されていると判定された場合（ステップＳ２８；ＹＥＳ）、当該個人情報及び顔画像のデータがＩＤ番号のデータに対応付けられてＩＤカード作成装置３及びファイルサーバ４に送信される（ステップＳ２９、Ｓ３０）。ステップＳ２９及びＳ３０の送信処理後、カード作成管理ファイル２４において、当該送信されたデータに対応する送信完了フラグがＯＮに設定され（ステップＳ３１）、再度、ステップＳ２８〜Ｓ３１の処理が繰り返される。
【００６０】
ＩＤ番号と、それに対応付けられた個人情報及び顔画像のデータを受信したＩＤカード作成装置３及びファイルサーバ４では、当該受信されたデータが記憶部に登録され、当該データの登録を通知するデータが撮影装置２に返信される。
【００６１】
次に、図７のフローチャートを参照して、実施形態２のＩＤカード作成装置３において実行される処理について説明する。
【００６２】
ＩＤカード作成装置３の操作パネルの操作により、ＩＤカードの再発行処理を指示するモードが指定されると、ＩＤカードの新規作成処理を表す通常モードから再発行モードに切り替えられる（ステップＰ１０）。次いで、ＩＤカード作成装置３の入力部（又は操作パネル）の操作により、ＩＤカードの申請人のＩＤ番号が入力されると（ステップＰ１１）、その入力されたＩＤ番号に対応する顔画像及び個人情報のデータが記憶部に登録されているか否かが判定される（ステップＰ１２）。
【００６３】
ステップＰ１２において、ＩＤカード作成装置３内の記憶部に、ステップＰ１１で入力されたＩＤ番号に対応する顔画像及び個人情報のデータが登録されていると判定された場合（ステップＰ１２；ＹＥＳ）、その登録されたデータに基づいてＩＤカードが作成される（ステップＰ１３）。
【００６４】
ステップＰ１２において、ＩＤカード作成装置３内の記憶部に、ステップＰ１１で入力されたＩＤ番号に対応する顔画像及び個人情報のデータが登録されていないと判定された場合（ステップＰ１２；ＮＯ）、ファイルサーバ４に対し、当該ＩＤ番号に対応付けられた顔画像及び個人情報の再発行を要求するデータが送信される（ステップＰ１４）。ステップＰ１４の再発行要求後、ステップＰ１１に戻り、次のＩＤ番号の入力待ち状態となる。
【００６５】
次に、図８（ａ）のフローチャートを参照して、ＩＤカード作成装置３からの、ＩＤ番号に対応付けられた顔画像及び個人情報の再発行要求を受け付けるときにファイルサーバ４において実行される処理について説明する。
【００６６】
まず、ＩＤカード作成装置３から、ＩＤ番号に対応付けられた顔画像及び個人情報の再発行要求が受け付けられ（ステップＦ１）、当該再発行要求で指定されたＩＤ番号に対応付けられた顔画像のデータが、ＤＢ４ａ内のカード作成管理ファイル４２１に登録されているか否かが判定される（ステップＦ２）。
【００６７】
ステップＦ２において、カード作成管理ファイル４２１に、再発行要求で指定されたＩＤ番号に対応付けられた顔画像のデータが登録されていないと判定された場合（ステップＦ２；ＮＯ）、ファイルサーバ４に該当する顔画像のデータが存在しないことを通知するデータがＩＤカード作成装置３に送信される（ステップＦ３）。
【００６８】
ステップＦ２において、カード作成管理ファイル４２１に、再発行要求で指定されたＩＤ番号に対応付けられた顔画像のデータが登録されていると判定された場合（ステップＦ２；ＹＥＳ）、処理中である（即ち、該当する顔画像及び個人情報のデータを送信する）旨を通知するデータがＩＤカード作成装置３に送信されるとともに（ステップＦ４）、該当する顔画像に対応するＩＤ番号のデータがホストコンピュータ１に送信され、当該ＩＤ番号に対応する最新の個人情報がホストコンピュータ１から取得される（ステップＦ５）。ホストコンピュータ１から個人情報が取得されると、当該個人情報がＩＤ番号に対応付けられてＤＢ４ａ内のカード作成管理ファイル４２１に登録される（ステップＦ６）。
【００６９】
次に、図８（ｂ）のフローチャートを参照して、図８（ａ）のフローチャートに示した処理と並行してファイルサーバ４において行われる処理について説明する。
【００７０】
ファイルサーバ４では、ステップＦ１において再発行要求が受け付けられ、送信完了フラグがＯＦＦのＩＤ番号に対応付けられた顔画像及び個人情報のデータがカード作成管理ファイル４２１に登録されているかが判定されている（ステップＦ７）。ステップＦ７において、カード作成管理ファイル４２１に、該当するＩＤ番号に対応付けられた顔画像及び個人情報のデータが登録されていると判定された場合（ステップＦ７；ＹＥＳ）、当該個人情報及び顔画像のデータがＩＤ番号のデータに対応付けられてＩＤカード作成装置３に送信される（ステップＦ８）。ステップＦ８での送信処理後、カード作成管理ファイル４２１において、当該送信されたデータに対応する送信完了フラグがＯＮに設定され（ステップＦ９）、再度、ステップＦ７〜Ｆ９の処理が繰り返される。
【００７１】
次に、図９のフローチャートを参照して、ファイルサーバ４からＩＤカードの作成指示を受け付けるときにＩＤカード作成装置３において実行される処理について説明する。
【００７２】
ファイルサーバ４から、ＩＤ番号と、それに対応付けられた個人情報及び顔画像のデータが受信され、ＩＤカードの作成指示が受け付けられると（ステップＰ２０）、その作成指示で指定されたＩＤ番号に対応付けられた顔画像及び個人情報を用いてＩＤカードが作成される（ステップＰ２１）。
【００７３】
ＩＤカードが作成されると、ＩＤカードの作成が完了したことを示すＩＤカード作成完了情報がＩＤ番号に対応付けられてファイルサーバ４に送信され（ステップＰ２２）、操作パネル上に、ＩＤ番号に対応付けられた顔画像及び個人情報の再発行要求が完了したことを示すメッセージが表示され（ステップＰ２３）、ＩＤカード作成装置３での処理が終了する。
【００７４】
以上のように、実施形態２のＩＤカード作成システム１００によれば、撮影装置２に、ＩＤカードの申請人のＩＤ番号が入力された際、当該ＩＤ番号に対応する顔画像が撮影装置２内に登録されている場合は、該当する顔画像の静止画を表示し、該当する顔画像が登録されていない場合は、申請人の動画を表示して、顔画像が登録されているか否かに応じて表示方式を切り替えるようにしたことにより、撮影装置２のオペレータは、現在行われている処理が、ＩＤカードの再発行処理であるのか、更新処理又は新規登録処理であるのかを容易に判断することができる。
【００７５】
また、ＩＤカード作成装置３に、指定されたＩＤ番号に対応する顔画像及び個人情報が登録されていない場合、ファイルサーバ４から該当する情報の再発行を要求して、当該情報を取得するようにしたことにより、常に最新の個人情報を取得することができる。
【００７６】
〈変形例〉
実施形態２では、ＩＤカード作成装置３がファイルサーバ４に対して、ＩＤ番号に対応付けられた顔画像及び個人情報の再発行要求をする場合を示したが、撮影装置２に対して再発行要求を行うことも可能である。この場合のＩＤカード作成装置３及び撮影装置２の処理について図１０〜図１２を参照して説明する。なお、本変形例では、通信ネットワークＮに接続される撮影装置２の台数は複数であるものとする。
【００７７】
まず、図１０のフローチャートを参照して、実施形態２の変形例におけるＩＤカード作成装置３において実行される処理について説明する。
【００７８】
ＩＤカード作成装置３の操作パネルの操作により、ＩＤカードの再発行処理を指示するモードが指定されると、ＩＤカードの新規作成処理を表す通常モードから再発行モードに切り替えられる（ステップＰ３０）。次いで、ＩＤカード作成装置３の入力部（又は操作パネル）の操作により、ＩＤカードの申請人のＩＤ番号が入力されると（ステップＰ３１）、その入力されたＩＤ番号に対応する顔画像及び個人情報のデータが記憶部に登録されているか否かが判定される（ステップＰ３２）。
【００７９】
ステップＰ３２において、ＩＤカード作成装置３内の記憶部に、ステップＰ３１で入力されたＩＤ番号に対応する顔画像及び個人情報のデータが登録されていると判定された場合（ステップＰ３２；ＹＥＳ）、その登録されたデータに基づいてＩＤカードが作成される（ステップＰ３３）。
【００８０】
ステップＰ３２において、ＩＤカード作成装置３内の記憶部に、ステップＰ３１で入力されたＩＤ番号に対応する顔画像及び個人情報のデータが登録されていないと判定された場合（ステップＰ３２；ＮＯ）、ＩＤカード作成装置３内の記憶部に、当該ＩＤ番号に対応付けられた撮影装置の識別番号が記憶されているか否かが判定される（ステップＰ３４）。
【００８１】
ステップＰ３４において、ＩＤカード作成装置３内の記憶部に、ステップＰ３１で入力されたＩＤ番号に対応付けられた撮影装置の識別番号が記憶されていると判定された場合（ステップＰ３４；ＹＥＳ）、該当する撮影装置２に対し、当該ＩＤ番号に対応付けられた顔画像及び個人情報の再発行を要求するデータが送信される（ステップＰ３５）。
【００８２】
ステップＰ３４において、ＩＤカード作成装置３内の記憶部に、ステップＰ３１で入力されたＩＤ番号に対応付けられた撮影装置の識別番号が記憶されていないと判定された場合（ステップＰ３４；ＮＯ）、通信ネットワークＮに接続された任意の撮影装置２に対し、当該ＩＤ番号に対応付けられた顔画像及び個人情報の再発行を要求するデータが送信される（ステップＰ３６）。
【００８３】
ステップＰ３５又はＰ３６において、ＩＤ番号に対応付けられた顔画像及び個人情報の再発行要求が行われると、該当する撮影装置２から、処理中である（即ち、該当する顔画像及び個人情報のデータを送信する）旨が返信されたか否かが判定される（ステップＰ３７）。
【００８４】
ステップＰ３７において、該当する撮影装置２から処理中である旨が返信されていない間は（ステップＰ３７；ＮＯ）、ステップＰ３５又はＰ３６に戻り、再度、上記再発行要求が繰り返される。Ｐ３７において、該当する撮影装置２から処理中である旨が返信されたと判定された場合（ステップＰ３７；ＹＥＳ）、ステップＰ３１に戻り、次のＩＤ番号の入力待ち状態となる。
【００８５】
なお、ステップＰ３０において、通常モードから再発行モードへ切り替えられた後に、撮影装置２から、通常の撮影（ＩＤカードを新規に作成する場合の撮影）により得られた顔画像と個人情報のデータがＩＤ番号のデータとともに受信された場合、これらの受信データをＩＤカード作成装置３内のバッファメモリに記憶させ、再発行モードから通常モードに切り替えられたときに、このバッファメモリに記憶されたデータを用いてＩＤカードが作成される。再発行モードを通常モードに切り替える方法は、操作パネルの操作によって行ってもよいし、一定の時間ＩＤ番号の入力がない場合に自動的に通常モードに切り替えるようにしてもよい。
【００８６】
次に、図１１（ａ）のフローチャートを参照して、図１０のステップＰ３５又はＰ３６の処理により、ＩＤカード作成装置３から上記の再発行要求を受け付けるときに撮影装置２において実行される処理について説明する。
【００８７】
ＩＤカード作成装置３から、ＩＤ番号に対応付けられた顔画像及び個人情報の再発行要求が受け付けられると（ステップＳ４０）、当該再発行要求で指定されたＩＤ番号に対応付けられた顔画像のデータがカード作成管理ファイル２４に登録されているか否かが判定される（ステップＳ４１）。
【００８８】
ステップＳ４１において、カード作成管理ファイル２４に、再発行要求で指定されたＩＤ番号に対応付けられた顔画像のデータが登録されていないと判定された場合（ステップＳ４１；ＮＯ）、撮影装置２に該当する顔画像のデータが存在しないことを通知するデータがＩＤカード作成装置３に送信される（ステップＳ４２）。
【００８９】
ステップＳ４１において、カード作成管理ファイル２４に、再発行要求で指定されたＩＤ番号に対応付けられた顔画像のデータが登録されていると判定された場合（ステップＳ４１；ＹＥＳ）、処理中である（即ち、該当する顔画像及び個人情報のデータを送信する）旨を通知するデータがＩＤカード作成装置３に送信されるとともに（ステップＳ４３）、該当する顔画像に対応するＩＤ番号のデータがホストコンピュータ１に送信され、当該ＩＤ番号に対応する最新の個人情報がホストコンピュータ１から取得される（ステップＳ４４）。ホストコンピュータ１から個人情報が取得されると、当該個人情報がＩＤ番号に対応付けられてカード作成管理ファイル２４に登録される（ステップＳ４５）。
【００９０】
次に、図１１（ｂ）のフローチャートを参照して、図１１（ａ）のフローチャートに示した処理と並行して撮影装置２において行われる処理について説明する。
【００９１】
撮影装置２では、ステップＳ４０において再発行要求が受け付けられ、送信完了フラグがＯＦＦのＩＤ番号に対応付けられた顔画像及び個人情報のデータがカード作成管理ファイル２４に登録されているかが判定されている（ステップＳ４６）。ステップＳ４６において、カード作成管理ファイル２４に、ＩＤ番号に対応付けられた顔画像及び個人情報のデータが登録されていると判定された場合（ステップＳ４６；ＹＥＳ）、当該個人情報及び顔画像のデータがＩＤ番号のデータに対応付けられてＩＤカード作成装置３に送信される（ステップＳ４７）。ステップＳ４７の送信処理後、カード作成管理ファイル２４において、当該送信されたデータに対応する送信完了フラグがＯＮに設定され（ステップＳ４８）、再度、ステップＳ４６〜Ｓ４８の処理が繰り返される。
【００９２】
次に、図１２のフローチャートを参照して、実施形態２の変形例において、撮影装置２からＩＤカードの作成指示を受け付けるときにＩＤカード作成装置３において実行される処理について説明する。
【００９３】
撮影装置２から、ＩＤ番号と、それに対応付けられた個人情報及び顔画像のデータが受信され、ＩＤカードの作成指示が受け付けられると（ステップＰ４０）、その作成指示で指定されたＩＤ番号に対応付けられた顔画像及び個人情報を用いてＩＤカードが作成される（ステップＰ４１）。
【００９４】
ＩＤカードが作成されると、ＩＤカードの作成が完了したことを示すＩＤカード作成完了情報がＩＤ番号に対応付けられて撮影装置２に送信され（ステップＰ４２）、操作パネル上に、ＩＤ番号に対応付けられた顔画像及び個人情報の再発行要求が完了したことを示すメッセージが表示され（ステップＰ４３）、ＩＤカード作成装置３での処理が終了する。
【００９５】
このように、ＩＤカード作成装置３は、ＩＤカードの作成に必要な情報を、ファイルサーバ４だけでなく撮影装置２からも取得することが可能となる。
【図面の簡単な説明】
【００９６】
【図１】本発明の実施形態１及び実施形態２に係るＩＤカード作成システムの構成を示す図。
【図２】図１のＩＤカード作成システムを構成する撮影装置の主要部構成を示すブロック図。
【図３】図１のＩＤカード作成システムを構成するファイルサーバの主要部構成を示すブロック図。
【図４】実施形態１の撮影装置において実行される処理を示すフローチャート。
【図５】実施形態１において、撮影装置からＩＤカード作成指示を受け付けるときにＩＤカード作成装置において実行される処理を示すフローチャート。
【図６】実施形態２の撮影装置において実行される処理を示すフローチャート。
【図７】実施形態２のＩＤカード作成装置において実行される処理を示すフローチャート。
【図８】実施形態２のファイルサーバにおいて実行される処理を示すフローチャート。
【図９】実施形態２において、ファイルサーバからＩＤカード作成指示を受け付けるときにＩＤカード作成装置において実行される処理を示すフローチャート。
【図１０】実施形態２の変形例のＩＤカード作成装置において実行される処理を示すフローチャート。
【図１１】実施形態２の変形例の撮影装置において実行される処理を示すフローチャート。
【図１２】実施形態２の変形例において、撮影装置からＩＤカード作成指示を受け付けるときにＩＤカード作成装置において実行される処理を示すフローチャート。
【符号の説明】
【００９７】
１  ホストコンピュータ
１ａ  ＤＢ（データベース）
２  撮影装置
２１  ＣＰＵ
２２  ＲＡＭ
２３  記憶部
２４  カード作成管理ファイル
２５  通信部
２６  入力部
２７  表示部
２８  カメラ
３  ＩＤカード作成装置
４  ファイルサーバ
４ａ  ＤＢ（データベース）
４１  ＣＰＵ
４２  記憶部
４３  通信部
４２１  カード作成管理ファイル
１００  ＩＤカード作成システム
【図１】
2006107178.tif 000003
【図２】
2006107178.tif 000004
【図３】
2006107178.tif 000005
【図４】
2006107178.tif 000006
【図５】
2006107178.tif 000007
【図６】
2006107178.tif 000008
【図７】
2006107178.tif 000009
【図８】
2006107178.tif 000010
【図９】
2006107178.tif 000011
【図１０】
2006107178.tif 000012
【図１１】
2006107178.tif 000013
【図１２】
2006107178.tif 000014